(57)【要約】【課題】複数のメディアスロットを有する装置（デジタルカメラ等）の操作性の向上を図る。【解決手段】記憶メディアを装着するための複数のスロットを備えた撮像装置は、複数のスロットより、撮影により得られた画像データを記録するための複数の記録スロットを設定するためのインターフェースを有する。記録スロットの設定において、複数のスロットの各々における記憶メディアへの記録の可否が検知され、記憶メディアへの記録が不可であると検知されたスロットが記録スロットに設定されないように制御される。【選択図】  図４
2005253057.tif 000002
【特許請求の範囲】
【請求項１】
記憶メディアを装着するための複数のスロットを備えた撮像装置であって、
前記複数のスロットから選択された複数のスロットを撮影により得られた画像データを記録するための記録スロットとして設定する設定手段と、
前記複数のスロットの各々における記憶メディアへの記録の可否を検知する検知手段と、
前記検知手段によって記憶メディアへの記録が不可であると検知されたスロットが記録スロットとして設定されないように前記設定手段を制約する制御手段とを備えることを特徴とする撮像装置。
【請求項２】
前記制御手段は、前記設定手段による記録スロットの設定時に、前記検知手段で記憶メディアへの記録が不可であったスロットをユーザに通知する通知手段を更に含むことを特徴とする請求項１に記載の撮像装置。
【請求項３】
前記検知手段は、
スロットの各々における記憶メディアの装着状態を検出する第１検出手段と、
前記第１検出手段により記憶メディアの装着が検出されたスロットにおいて、装着された記憶メディアの記録の可否を検出する第２検出手段とを備えることを特徴とする請求項１に記載の撮像装置。
【請求項４】
記憶メディアを装着するための複数のスロットを備えた撮像装置であって、
前記複数のスロットの中から、撮影により得られた画像データを記録するための記録スロットとして設定されたスロットにおいて、記憶メディアへの記録の可否を検知する検知手段と、
前記検知手段において記憶メディアへの記録が不可と判定されたスロットについて、記録スロットとしての設定状態を自動解除する解除手段とを備えることを特徴とする撮像装置。
【請求項５】
前記解除手段は、記録スロットとしての設定状態を自動解除したスロットをユーザに通知する手段を更に備えることを特徴とする請求項４に記載の撮像装置。
【請求項６】
前記検知手段は、
スロットの各々における記憶メディアの装着状態を検出する第１検出手段と、
前記第１検出手段により記憶メディアの装着が検出されたスロットにおいて、装着された記憶メディアの記録の可否を検出する第２検出手段とを備えることを特徴とする請求項４に記載の撮像装置。
【請求項７】
前記解除手段は、
前記検知手段において記憶メディアへの記録が不可と判定されたスロットが存在した場合に、所定の遅延時間の経過の後に前記自動解除を実行し、
記録が不可と判定された前記スロットが該遅延時間の経過前に記録可能な状態となった場合には当該スロットに対する前記自動解除を禁止することを特徴とする請求項４に記載の撮像装置。
【請求項８】
前記解除手段は、
前記検知手段において記憶メディアへの記録が不可と判定されたスロットが存在した場合に、所定の操作入力の後に前記自動解除を実行し、
記録が不可と判定された前記スロットが前記所定の操作入力の前に記録可能な状態となった場合には当該スロットに対する前記自動解除を禁止することを特徴とする請求項４に記載の撮像装置。
【請求項９】
記憶メディアを装着するための複数のスロットを備えた撮像装置であって、
バックアップモードへの設定指示に応じて、前記複数のスロットの中から選択された複数のスロットを、撮影により得られた画像データを記録するための記録スロットに設定する設定手段と、
前記選択された複数のスロットの各々における記憶メディアへの記録の可否を検知する検知手段と、
前記設定手段において選択された複数のスロットに関する前記検知手段の検知結果に基づいて、バックアップ動作の実行可否を判定する判定手段と、
前記判定手段でバックアップ動作を実行できないと判定した場合は、前記バックアップモードへの設定を禁止する制御手段とを備えることを特徴とする撮像装置。
【請求項１０】
前記制御手段は、前記バックアップモードへの設定を禁止する場合、その旨を通知する通知手段を含むことを特徴とする請求項９に記載の撮像装置。
【請求項１１】
前記バックアップモードでは、前記複数のスロットの中からメイン記録用に設定されたスロットとバックアップ記録用に設定されたスロットを用いてバックアップ動作が行われ、
前記判定手段は、前記メイン記録用に設定されたスロット或いは前記バックアップ記録用に設定されたスロットのいずれかにおいて、前記検知手段により記憶メディアへの記録が可能と検知された記録スロットが存在しない場合にバックアップ動作が不可能であると判定することを特徴とする請求項９に記載の撮像装置。
【請求項１２】
記憶メディアを装着するための複数のスロットを備えた撮像装置であって、
バックアップモードへの設定指示に応じて、前記複数のスロットの中から選択された複数のスロットを、撮影により得られた画像データを記録するための記録スロットに設定する設定手段と、
前記選択された複数のスロットの各々における記憶メディアへの記録の可否を検知する検知手段と、
前記設定手段において選択された複数のスロットに関する前記検知手段の検知結果に基づいて、バックアップ動作の実行可否を判定する判定手段と、
前記バックアップモードで稼動中に、前記判定手段でバックアップ動作を行えないと判定した場合は、該バックアップモードを自動的に解除する解除手段とを備えることを特徴とする撮像装置。
【請求項１３】
前記解除手段によりバックアップモードを解除する際には、その旨をユーザに通知する通知手段を更に備えることを特徴とする請求項１２に記載の撮像装置。
【請求項１４】
前記バックアップモードでは、前記複数のスロットの中からメイン記録用に設定されたスロットとバックアップ記録用に設定されたスロットを用いてバックアップ動作が行われ、
前記判定手段は、前記メイン記録用に設定されたスロット或いは前記バックアップ記録用に設定されたスロットのいずれかにおいて、前記検知手段により記憶メディアへの記録が可能と検知された記録スロットが存在しない場合にバックアップ動作が不可能であると判定することを特徴とする請求項１２に記載の撮像装置。
【請求項１５】
前記解除手段は、
前記判定手段においてバックアップ動作が不可能であると判定された場合に、所定の遅延時間の経過の後に前記解除を実行し、
前記遅延時間の経過前にバックアップ動作が可能な状態となった場合には当該スロットに対する前記解除を禁止することを特徴とする請求項１２に記載の撮像装置。
【請求項１６】
前記解除手段は、
前記判定手段においてバックアップ動作が不可能であると判定された場合に、所定の操作入力の後に前記解除を実行し、
前記所定の操作入力の前にバックアップ動作が可能な状態となった場合には当該スロットに対する前記解除を禁止することを特徴とする請求項１２に記載の撮像装置。
【請求項１７】
記憶メディアを装着するための複数のスロットを備えた撮像装置の制御方法であって、
前記複数のスロットから選択された複数のスロットを撮影により得られた画像データを記録するための記録スロットとして設定する設定工程と、
前記複数のスロットの各々における記憶メディアへの記録の可否を検知する検知工程と、
前記検知工程によって記憶メディアへの記録が不可であると検知されたスロットが記録スロットとして設定されないように前記設定工程を制約する制御工程とを備えることを特徴とする制御方法。
【請求項１８】
記憶メディアを装着するための複数のスロットを備えた撮像装置の制御方法であって、
前記複数のスロットの中から、撮影により得られた画像データを記録するための記録スロットとして設定されたスロットにおいて、記憶メディアへの記録の可否を検知する検知工程と、
前記検知工程において記憶メディアへの記録が不可と判定されたスロットについて、記録スロットとしての設定状態を自動解除する解除工程とを備えることを特徴とする制御方法。
【請求項１９】
記憶メディアを装着するための複数のスロットを備えた撮像装置の制御方法であって、
バックアップモードへの設定指示に応じて、前記複数のスロットの中から選択された複数のスロットを、撮影により得られた画像データを記録するための記録スロットに設定する設定工程と、
前記選択された複数のスロットの各々における記憶メディアへの記録の可否を検知する検知工程と、
前記設定工程において選択された複数のスロットに関する前記検知工程の検知結果に基づいて、バックアップ動作の実行可否を判定する判定工程と、
前記判定工程でバックアップ動作を実行できないと判定した場合は、前記バックアップモードへの設定を禁止する制御工程とを備えることを特徴とする制御方法。
【請求項２０】
記憶メディアを装着するための複数のスロットを備えた撮像装置の制御方法であって、
バックアップモードへの設定指示に応じて、前記複数のスロットの中から選択された複数のスロットを、撮影により得られた画像データを記録するための記録スロットに設定する設定工程と、
前記選択された複数のスロットの各々における記憶メディアへの記録の可否を検知する検知工程と、
前記設定工程において選択された複数のスロットに関する前記検知工程の検知結果に基づいて、バックアップ動作の実行可否を判定する判定工程と、
前記バックアップモードで稼動中に、前記判定工程でバックアップ動作を行えないと判定した場合は、該バックアップモードを自動的に解除する解除工程とを備えることを特徴とする制御方法。
【請求項２１】
クレーム１７乃至２０のいずれかに記載の制御方法をコンピュータによって実行するための制御プログラム。
【請求項２２】
クレーム１７乃至２０のいずれかに記載の制御方法をコンピュータによって実行するための制御プログラムを格納した記憶媒体。
【発明の詳細な説明】
【技術分野】
【０００１】
本発明は、デジタルカメラ、デジタルビデオ、カメラ付き携帯電話等の撮像装置に関する。
【背景技術】
【０００２】
静止画像や動画像を撮影し、デジタル化して記憶メディアに記憶するデジタルカメラが広く普及している。このようなデジタルカメラにおいては、現在のところ、記憶メディアを装着するためのメディアスロットを１つしか持たないものが主流である。しかしながら、撮影画像を複数の記憶メディアに記録したり、撮影画像のバックアップをとるといった目的で、複数の記憶メディアを扱うことを可能にしたデジタルカメラも存在する（例えば、特許文献１を参照）。
【特許文献１】特開平７−２３１４２０号公報
【発明の開示】
【発明が解決しようとする課題】
【０００３】
複数のメディアスロットを有するデジタルカメラでは、ユーザは記録スロット（以下、撮影画像を記録すべきメディアスロットを記録スロットという）を選択する必要があるが、複数のメディアスロットの中には、記憶メディアが装着されていない状態のものや、記録のできない記憶メディアが装着されている状態のもの等、記録不可能な状態のメディアスロットが混在している場合が考えられる。このため、デジタルカメラが実行できないような設定をユーザが行ってしまうという不具合が生じる可能性がある。例えば、ユーザが複数のメディアスロットから記録動作させるべきスロット（以下、記録スロットという）を選択しようとしたときに、誤って記録不可能な状態のメディアスロットを記録スロットに設定してしまうことがあり得る。或いは、例えば１つのメディアスロットしか記録可能な状態となっていないにもかかわらず、複数の記憶メディアを用いたデータバックアップを実行する動作モードを設定してしまうといったことがあげられる。
【０００４】
また、記録スロットに設定されたメディアスロットから記憶メディアが取り出されたり、その記憶メディアが記録不能な状態になるといったようにスロットの状態が変化すると、そのスロットを記録スロットとして利用できなくなる。そのような場合、従来のデジタルカメラではエラー状態となり、手動動作によって何らかの対処を行うまで撮影動作を継続できなくなる。
【０００５】
そこで、本発明は、上述した不具合を解消することを目的とする。また、本発明は、例えば、複数のメディアスロットを有する装置（デジタルカメラ等）の操作性の向上を図ることを目的とする。
【課題を解決するための手段】
【０００６】
上記の目的を達成するための本発明の一態様による撮像装置は以下の構成を備える。すなわち、
記憶メディアを装着するための複数のスロットを備えた撮像装置であって、
前記複数のスロットから選択された複数のスロットを撮影により得られた画像データを記録するための記録スロットとして設定する設定手段と、
前記複数のスロットの各々における記憶メディアへの記録の可否を検知する検知手段と、
前記検知手段によって記憶メディアへの記録が不可であると検知されたスロットが記録スロットとして設定されないように前記設定手段を制約する制御手段とを備える。
【０００７】
また、上記の目的を達成するための本発明の他の態様による撮像装置は以下の構成を備える。すなわち、
記憶メディアを装着するための複数のスロットを備えた撮像装置であって、
前記複数のスロットの中から、撮影により得られた画像データを記録するための記録スロットとして設定されたスロットにおいて、記憶メディアへの記録の可否を検知する検知手段と、
前記検知手段において記憶メディアへの記録が不可と判定されたスロットについて、記録スロットとしての設定状態を自動解除する解除手段とを備える。
【０００８】
また、上記の目的を達成するための本発明の他の態様による撮像装置は以下の構成を備える。すなわち、
記憶メディアを装着するための複数のスロットを備えた撮像装置であって、
バックアップモードへの設定指示に応じて、前記複数のスロットの中から選択された複数のスロットを、撮影により得られた画像データを記録するための記録スロットに設定する設定手段と、
前記選択された複数のスロットの各々における記憶メディアへの記録の可否を検知する検知手段と、
前記設定手段において選択された複数のスロットに関する前記検知手段の検知結果に基づいて、バックアップ動作の実行可否を判定する判定手段と、
前記判定手段でバックアップ動作を実行できないと判定した場合は、前記バックアップモードへの設定を禁止する制御手段とを備える。
【０００９】
また、上記の目的を達成するための本発明の他の態様による撮像装置は以下の構成を備える。すなわち、
記憶メディアを装着するための複数のスロットを備えた撮像装置であって、
バックアップモードへの設定指示に応じて、前記複数のスロットの中から選択された複数のスロットを、撮影により得られた画像データを記録するための記録スロットに設定する設定手段と、
前記選択された複数のスロットの各々における記憶メディアへの記録の可否を検知する検知手段と、
前記設定手段において選択された複数のスロットに関する前記検知手段の検知結果に基づいて、バックアップ動作の実行可否を判定する判定手段と、
前記バックアップモードで稼動中に、前記判定手段でバックアップ動作を行えないと判定した場合は、該バックアップモードを自動的に解除する解除手段とを備える。
【００１０】
また、上記の目的を達成するための本発明の他の態様による制御方法は、
記憶メディアを装着するための複数のスロットを備えた撮像装置の制御方法であって、
前記複数のスロットから選択された複数のスロットを撮影により得られた画像データを記録するための記録スロットとして設定する設定工程と、
前記複数のスロットの各々における記憶メディアへの記録の可否を検知する検知工程と、
前記検知工程によって記憶メディアへの記録が不可であると検知されたスロットが記録スロットとして設定されないように前記設定工程を制約する制御工程とを備える。
【００１１】
また、上記の目的を達成するための本発明の他の態様による制御方法は、
記憶メディアを装着するための複数のスロットを備えた撮像装置の制御方法であって、
前記複数のスロットの中から、撮影により得られた画像データを記録するための記録スロットとして設定されたスロットにおいて、記憶メディアへの記録の可否を検知する検知工程と、
前記検知工程において記憶メディアへの記録が不可と判定されたスロットについて、記録スロットとしての設定状態を自動解除する解除工程とを備える。
【００１２】
また、上記の目的を達成するための本発明の他の態様による制御方法は、
記憶メディアを装着するための複数のスロットを備えた撮像装置の制御方法であって、
バックアップモードへの設定指示に応じて、前記複数のスロットの中から選択された複数のスロットを、撮影により得られた画像データを記録するための記録スロットに設定する設定工程と、
前記選択された複数のスロットの各々における記憶メディアへの記録の可否を検知する検知工程と、
前記設定工程において選択された複数のスロットに関する前記検知工程の検知結果に基づいて、バックアップ動作の実行可否を判定する判定工程と、
前記判定工程でバックアップ動作を実行できないと判定した場合は、前記バックアップモードへの設定を禁止する制御工程とを備える。
【００１３】
また、上記の目的を達成するための本発明の他の態様による制御方法は、
記憶メディアを装着するための複数のスロットを備えた撮像装置の制御方法であって、
バックアップモードへの設定指示に応じて、前記複数のスロットの中から選択された複数のスロットを、撮影により得られた画像データを記録するための記録スロットに設定する設定工程と、
前記選択された複数のスロットの各々における記憶メディアへの記録の可否を検知する検知工程と、
前記設定工程において選択された複数のスロットに関する前記検知工程の検知結果に基づいて、バックアップ動作の実行可否を判定する判定工程と、
前記バックアップモードで稼動中に、前記判定工程でバックアップ動作を行えないと判定した場合は、該バックアップモードを自動的に解除する解除工程とを備える。
【発明の効果】
【００１４】
本発明によれば、例えば、記録が不可の状態のスロットが誤って記録スロットに設定されることを防止できるので、複数のメディアスロットを有する装置（デジタルカメラ等）において操作性が向上する。
【発明を実施するための最良の形態】
【００１５】
以下、添付の図面を参照して本発明の好適な実施形態を説明する。
【００１６】
以下の各実施形態では、画像を撮影し、撮影した画像の画像データを少なくとも一つの記憶媒体に記録することができる装置（デジタルカメラ、デジタルビデオ、カメラ付き携帯電話等）を撮像装置と呼ぶ。
【００１７】
＜第１実施形態＞
図１は、第１乃至第３実施形態に係る撮像装置１００の構成を示すブロック図である。なお、本実施形態の撮像装置は、撮影した画像の縮小画像を簡易的に表示することが可能となっている。
【００１８】
撮像装置１００において、撮像素子１４は光学像を電気信号に変換する素子である。シャッター１２は撮像素子１４への露光量を制御するために設けられている。Ａ／Ｄ変換器１６は撮像素子１４のアナログ信号出力をデジタル信号に変換し、画像処理回路２０及びメモリ制御回路２２へこれを提供する。タイミング発生回路１８は、撮像素子１４、Ａ／Ｄ変換器１６、Ｄ／Ａ変換器２６にクロック信号や制御信号を供給するための回路であり、メモリ制御回路２２及びシステム制御回路５０により制御される。
【００１９】
画像処理回路２０はＡ／Ｄ変換器１６からのデータ或いはメモリ制御回路２２からのデータに対して所定の画素補間処理や色変換処理を行う。また、画像処理回路２０において撮像した画像データを用いて所定の演算処理を行い、得られた演算結果に基づいてシステム制御回路５０が測光ユニット４６や測距ユニット４２に対して制御を行う。これにより、ＴＴＬ（スルー・ザ・レンズ）方式のＡＦ（オートフォーカス）処理、ＡＥ（自動露出）処理、ＥＦ（フラッシュプリ発光）処理等を行うことができる。さらに、画像処理回路２０においては、撮像した画像データを用いて所定の演算処理を行い、得られた演算結果に基づいてＴＴＬ方式のＡＷＢ（オートホワイトバランス）処理も行っている。
【００２０】
なお、本実施形態においては、測距ユニット４２及び測光ユニット４６を専用に備える構成としたため、測距ユニット４２及び測光ユニット４６を用いてＡＦ（オートフォーカス）処理、ＡＥ（自動露出）処理、ＥＦ（フラッシュ調光）処理の各処理を行うものとし、画像処理回路２０を用いたＡＦ（オートフォーカス）処理、ＡＥ（自動露出）処理、ＥＦ（フラッシュ調光）処理等の各処理を行わない構成としても良い。
【００２１】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２２】
画像表示メモリ２４、Ｄ／Ａ変換器２６、ＴＦＴ、ＬＣＤ等を具備した画像表示部２８により、画像表示系が形成される。すなわち、画像表示メモリ２４に書き込まれた表示用の画像データはＤ／Ａ変換器２６によりビデオ用のアナログ信号に変換され、画像表示部２８により表示される。メモリ３０は、撮影した静止画像や動画像を格納する。メモリ３０は、所定枚数の静止画像や所定時間の動画像を格納するのに十分な記憶量を備えている。これにより、複数枚の静止画像を連続して撮影する連射撮影やパノラマ撮影の場合にも、高速かつ大量の画像をメモリ３０に対して書き込むことが可能となる。また、メモリ３０はシステム制御回路５０の作業領域としても使用することが可能である。
【００２３】
圧縮・伸長回路３２は、適応離散コサイン変換（ＡＤＣＴ）等により画像データを圧縮伸長するための回路であり、メモリ３０に格納された画像を読み込んで圧縮処理或いは伸長処理を行い、処理を終えたデータをメモリ３０に書き込む。
【００２４】
シャッター制御ユニット４０は測光ユニット４６からの測光情報に基づいて、絞り３１２を制御する絞り制御ユニット３４０と連携しながら、シャッター１２を制御する。なお、シャッター制御ユニット４０はフラッシュ４８と連携することによりフラッシュ調光機能も有する。
【００２５】
測距ユニット４２はＡＦ（オートフォーカス）処理を行うための測距を実行する。レンズ３１０に入射した光線を、一眼レフ方式によって、絞り３１２、レンズマウント３０６及び１０６、ミラー１３０そして不図示の測距用サブミラーを介して、測距ユニット４２に入射させることにより、光学像として結像された画像の合焦状態を測定することができるように構成されている。測光ユニット４６は、ＡＥ（自動露出）処理を実行する。レンズ３１０に入射した光線を、一眼レフ方式によって、絞り３１２、レンズマウント３０６及び１０６、ミラー１３０及び１３２そして不図示の測光用レンズを介して、測光ユニット４６に入射させることにより、光学像として結像された画像の露出状態を測定することができるようにしている。
【００２６】
フラッシュ４８は、ＡＦ補助光の投光機能やフラッシュ調光機能を有する。なお、測距ユニット４２による測定結果と、撮像素子１４によって撮像した画像データを画像処理回路２０によって演算した演算結果とを共に用いてＡＦ（オートフォーカス）制御を行っても構わないこと、同様に、測光ユニット４６による測定結果と、撮像素子１４によって撮像した画像データを画像処理回路２０によって演算した演算結果とを共に用いて露出制御を行っても構わないことは当業者には明らかであろう。
【００２７】
システム制御回路５０は、撮像装置１００の全体の制御をつかさどる。メモリ５２はシステム制御回路５０の動作用の定数、変数、プログラム等を記憶するメモリである。表示器５４は液晶表示装置やスピーカー等を含み、システム制御回路５０による制御の下で、文字、画像、音声等を用いて動作状態やメッセージ等を出力する。表示器５４は撮像装置１００の操作部近辺の視認し易い位置に一箇所或いは複数個所設置され、例えばＬＣＤやＬＥＤ、発音素子等の組み合わせにより構成されている。また、表示器５４は、その一部の機能が光学ファインダー１０４内に設置されている。不揮発性メモリ５６は電気的に消去・記録可能な不揮発性のメモリであり、例えばEEPROM等が用いられる。
【００２８】
システム制御回路５０に対する各種の動作指示を入力するための操作系として、本実施形態の撮像装置１００は、モードダイアル６０、シャッタースイッチ６２及び６４、画像表示ＯＮ／ＯＦＦスイッチ６６、操作部６８、電源ＯＮ／ＯＦＦスイッチ７０、及び記録スロット選択スイッチ７２を備える。この操作系を構成する指示入力機構としては、スイッチやダイアル等の機械的接点を利用した構成、タッチパネルや視線検知によるポインティングのための構成、音声入力のための音声認識装置等を単独で或いは適宜組み合わせて用いたものがあげられる。
【００２９】
ここで、上記操作系の各部の具体的な説明を行う。モードダイアルスイッチ６０は、自動撮影モード、プログラム撮影モード、シャッター速度優先モード、絞り優先モード、マニュアル撮影モード、焦点深度優先（デプス）撮影モード、ポートレート撮影モード、風景撮影モード、接写撮影モード、スポーツ撮影モード、夜景撮影モード、パノラマ撮影モード、等の各機能撮影モードを切り替え設定するためのスイッチである。
【００３０】
シャッタースイッチ６２（ＳＷ１）は、不図示のシャッターボタンの操作途中(シャッターボタンの半押し状態）でＯＮとなり、この信号によりＡＦ（オートフォーカス）処理、ＡＥ（自動露出）処理、ＡＷＢ（オートホワイトバランス）処理、ＥＦ（フラッシュプリ発光）処理等の動作開始を指示する。シャッタースイッチ６４（ＳＷ２）は、不図示のシャッターボタンの操作完了（全押し状態）でＯＮとなり、撮影の開始を指示する。すなわち、撮像素子１４から読み出した信号をＡ／Ｄ変換器１６、メモリ制御回路２２を介してメモリ３０に画像データとして書き込む露光処理、画像処理回路２０やメモリ制御回路２２での演算を用いた現像処理、メモリ３０から画像データを読み出し、圧縮・伸長回路３２で圧縮を行い、記憶メディア２００或いは２１０に画像データを書き込む記録処理という一連の処理の動作開始を指示する。
【００３１】
画像表示ＯＮ／ＯＦＦスイッチ６６がＯＮになると再生動作の開始が指示される。この指示により、撮影した画像をメモリ３０や記憶メディア２００或いは２１０から読み出し、これを画像表示部２８によって表示させるという再生動作が開始される。操作部６８はその他の各種ボタンやタッチパネル等から構成される。電源スイッチ７０は、撮像装置１００の電源オン、電源オフの各モードを切り替え設定することができる。また、撮像装置１００に接続された記憶メディア２００、２１０、レンズユニット３００、外部ストロボ（不図示）等の各種付属装置の電源オン、電源オフの設定も合わせて切り替え設定することができる。
【００３２】
記録スロット選択ユニット７２により、ユーザは複数のメディアスロットから所望のメディアスロットを記録スロットとして選択し、この選択状態を撮像装置に設定することができる。記録スロットは、複数のメディアスロットから一つ以上を選択することができる。記録スロット選択ユニット７２を用いてユーザにより設定された記録スロットの選択状態は、ユーザ選択スロットとしてシステム制御回路５０或いはメモリ５２に保存される。なお、撮像装置１００で記録スロットを選択する場合には、画像表示部２８を用いてメディアスロットを一覧表示し、所望のメディアスロットを選択させるようにしてもよい。或いは、通信ユニット１１０によりコンピュータ等によりあらかじめ設定された値を取り込み、その値を選択する構成としてもよい。
【００３３】
記憶メディア状態検知ユニット７４は、メディアスロットに装着されている記憶メディア（例えば記憶メディア２００及び２１０）が記録可能状態であるか否かを検知する。記録スロット検索ユニット７６は、複数のメディアスロットのうち記録スロットに設定されているメディアスロットを検索する。記録スロット自動解除ユニット７８は、記録スロットに設定されているメディアスロットを記録スロットから自動解除する。また、自動解除を実行した際には、画像表示部２８または表示器５４にその旨を表示（または音声出力）させ、自動解除が実行されたことをユーザに通知する。
【００３４】
電源制御ユニット８０は、電池検出回路、ＤＣ−ＤＣコンバータ、通電するブロックを切り替えるスイッチ回路等により構成されており、電池の装着の有無、電池の種類、電池残量の検出を行う。そして、それらの検出結果及びシステム制御回路５０からの指示に基づいてＤＣ−ＤＣコンバータを制御し、必要な電圧を必要な期間、記憶メディアを含む各部へ供給する。
【００３５】
電源部８６は、アルカリ電池やリチウム電池等の一次電池やＮｉＣｄ電池やＮｉＭＨ電池、Ｌｉ電池等の二次電池、ＡＣアダプター等を備え、コネクタ８２、８４を介して電源制御ユニット８０へ電源を供給する。
【００３６】
インターフェース９０、９４は、メモリカードやハードディスク等の記憶メディアと装置内のバスとを接続する。コネクタ９２、９６はメモリカードやハードディスク等の記憶メディアと接続を行うべくメディアスロットに設けられたコネクタであり、記憶メディアが有するコネクタ（例えば記憶メディア２００や２１０のコネクタ２０６や２１６）と接続可能である。記憶メディア着脱検知ユニット９８は、コネクタ９２及び／或いは９６に記憶メディアが装着されているか否かを検知する。
【００３７】
なお、図１では記憶メディアを取り付けるインターフェース及びコネクタを２系統持つものとして説明しているが、もちろん、記憶メディアを取り付けるインターフェース及びコネクタの数は、３つ以上としてもよい。図２以降に示す第１実施形態では、４つの記憶メディアが接続できるように４つのメディアスロットと、４つのコネクタと、４つのインターフェースを有する場合を説明している。また、インターフェース及びコネクタとしては、ＰＣＭＣＩＡ（Personal Computer Memory Card International Association）カードやＣＦ（コンパクトフラッシュ（登録商標））カード等の規格に準拠したものを用いて構成しても構わない。更に、複数のメディアスロットの各々が異なる規格に対応したものであってもよい（即ち複数種類の規格が混在していてもよい）。
【００３８】
レンズ３１０に入射した光線は、一眼レフ方式によって、絞り３１２、レンズマウント３０６および１０６、ミラー１３０及び１３２を介して光学ファインダー１０４へ導かれ、そこで光学像として結像表示される。これにより、画像表示部２８による電子ファインダー機能を使用すること無しに、光学ファインダー１０４のみを用いて撮影を行うことが可能である。また、光学ファインダー１０４内には、表示器５４の一部の機能、例えば、合焦表示、手振れ警告表示、フラッシュ充電表示、シャッタースピード表示、絞り値表示、露出補正表示などが設置されている。
【００３９】
レンズマウント１０６は撮像装置１００をレンズユニット３００とを主に機械的に結合する。ただし、レンズマウント１０６内には、撮像装置１００をレンズユニット３００と電気的に接続する各種機能も含まれている。
【００４０】
通信ユニット１１０は、ＲＳ２３２ＣやＵＳＢ、ＩＥＥＥ１３９４、Ｐ１２８４、ＳＣＳＩ、モデム、ＬＡＮ、無線通信等の各種通信機能の少なくともいずれかを有する。コネクタ１１２は通信ユニット１１０を介して撮像装置１００を他の機器と接続するために用いられる。なお、コネクタ１１２は、無線通信の場合はアンテナとなる。インターフェース１２０は、レンズマウント１０６を介して、撮像装置１００をレンズユニット３００と電気的に接続するためのインターフェースである。コネクタ１２２は撮像装置１００をレンズユニット３００と電気的に接続するコネクタである。なお、図１では、図示を簡単にするために、電気的接続のためのコネクタ１２２，３２２はレンズマウント１０６の外部に示してある。
【００４１】
１３０、１３２はミラーで、レンズ３１０に入射した光線を、一眼レフ方式によって光学ファインダー１０４に導くことが出来る。なお、ミラー１３２は、クイックリターンミラーの構成としても、ハーフミラーの構成としても、どちらでも構わない。
【００４２】
２００はメモリカードやハードディスク等の記憶メディアである。記憶メディア２００は、半導体メモリや磁気ディスク等から構成される記録部２０２、撮像装置１００と論理的な接続を行うインターフェース２０４、撮像装置１００と物理的な接続を行うコネクタ２０６を備えている。同様に、２１０はメモリカードやハードディスク等の記憶メディアであり、半導体メモリや磁気ディスク等から構成される記録部２１２、撮像装置１００とのインターフェース２１４、撮像装置１００と接続を行うコネクタ２１６を備えている。
【００４３】
レンズユニット３００は交換レンズタイプであり、撮影レンズ３１０、絞り３１２を備える。レンズユニット３００は、レンズマウント３０６を介して撮像装置１００と機械的に結合される。レンズマウント３０６内には、レンズユニット３００を撮像装置１００と電気的に接続するためのコネクタ３２２が設けられている。即ち、コネクタ３２２とインターフェース３２０により、レンズユニット３００は撮像装置１００と電気的に通信可能に接続される。コネクタ３２２は、撮像装置１００とレンズユニット３００との間で制御信号、状態信号、データ通信信号等を伝え合うと共に、各種電圧の電流を供給される或いは供給する機能も備えている。また、コネクタ３２２は電気通信のみならず、光通信、音声通信等を伝達する構成としても良い。
【００４４】
絞り制御ユニット３４０は測光ユニット４６からの測光情報に基づいて、シャッター１２を制御するシャッター制御ユニット４０と連携しながら、絞り３１２を制御する。また、測距制御ユニット３４２は撮影レンズ３１０のフォーカシングを制御し、ズーム制御ユニット３４４は撮影レンズ３１０のズーミングを制御する。レンズ制御ユニット３５０はレンズユニット３００全体を制御する。レンズ制御ユニット３５０は、動作用の定数、変数、プログラム等を記録するメモリやそのレンズユニット３００に固有の番号等の識別情報、管理情報、開放絞り値や最小絞り値、焦点距離等の機能情報、現在や過去の各設定値などを保持する不揮発メモリの機能も備えている。
【００４５】
図２は、上記図１で示した本実施形態の撮像装置１００の概観を示す図である。画像表示部２８は例えば液晶表示器で構成されており、図２では記録スロットの設定時の表示例を示している。なお、記録スロットの設定操作や処理については図５のフローチャート等を参照して後に詳述するが、簡単に述べると次のとおりである。モードダイアル６０を用いて記録スロット設定モードに移行すると、画像表示部２８にはメディアスロットの一覧２０１が表示され、操作部６８を使用してスロット単位で記録スロットに設定するか否かを指示できる。そして、操作部６８を用いて一覧２０１に表示されているメディアスロットを選択状態（例えば２０１ａ）にすると、選択状態になったメディアスロットの状態が通知欄２０２に表示される。ここで通知されるスロットの状態としては、「メディアスロットに記憶メディアが装着されていない」「メディアスロットに装着されている記憶メディアが初期化されていない」、「メディアスロットに装着されている記憶メディアが容量一杯である」、「メディアスロットに装着されている記憶メディアが壊れている」等がある。
【００４６】
なお、本実施形態では、撮影画像の縮小画像を表示する画像表示部２８を用いて複数のメディアスロットの少なくとも一つを記録スロットに設定する構成を採用したが、撮像装置１００の上面或いは背面に配置された他の液晶表示器を用いて複数のメディアスロットの少なくとも一つを記録スロットに設定するためのユーザインターフェースを提供する構成を採用することも可能である。
【００４７】
次に、図３を参照して、第１の実施形態の動作を説明する。なお、以下の各フローチャートにより説明される処理及び動作は、システム制御回路５０がメモリ５２に記憶されたプログラムを実行することにより実現されるものである。
【００４８】
図３の（ａ）乃至（ｃ）は、本実施形態に係る撮像装置１００が備えているメディアスロットの状態の一例を表す。図３の（ａ）乃至（ｃ）において、３０１乃至３０４は、メディアスロットを示す。
【００４９】
図３の（ｄ）に示すように、メディアスロット３０１〜３０４の上段は、各メディアスロットが記録スロットであるか否かを示す。「記録」が記載されているメディアスロットは、そのメディアスロットが記録スロットであることを意味する。
【００５０】
また、図３の（ｄ）に示すように、メディアスロット３０１〜３０４の下段は、（１）メディアスロットに記憶メディア（メモリカード等）が接続されているか否かを示し、（２）メディアスロットに記憶メディアが接続されている場合はその記憶メディアに撮影画像を記録することができるか否かを示す。「無」が記載されているメディアスロットは、そのメディアスロットに記憶メディアが接続されていないことを意味する。「有」が記載されているメディアスロットは、そのメディアスロットに記憶メディアが接続されていることを意味する。「不可」が記載されているメディアスロットは、そのメディアスロットに接続されている記憶メディアが撮影画像を記録できない状態であることを意味する。撮像装置１００は、記憶メディアが壊れている、記憶メディアに撮影画像を記録するだけの容量がない、記憶メディアが初期化されていないなどの場合、記憶メディアが撮影画像を記録できない状態であると判定する。「可」が記載されているメディアスロットは、そのメディアスロットに接続されている記憶メディアが撮影画像を記録できる状態であることを意味する。
【００５１】
なお、本実施形態では、メディアスロットの数を４つとしているが、メディアスロットの数は２つ以上であればよく、以下に説明する動作は２つ以上のメディアスロットを有する撮像装置に適用できる。
【００５２】
メディアスロット３０１には、記録可能な記憶メディアが装着されており、かつ、記録スロットに選択されている。メディアスロット３０２には、記憶メディアが装着されておらず、記録スロットにも選択されていない。メディアスロット３０３には、記憶メディアが装着されているが、記録不可能な状態であり、記録スロットには選択されていない。メディアスロット３０４には、メディアスロット３０１と同様に、記録可能な記憶メディアが装着されており、記録スロットに選択されている。
【００５３】
以上の図３の（ａ）に示したような設定状態における撮像装置１００において、記録スロットを設定するための操作が行われると、画像表示部２８には図２に示すような表示がなされることになる（メディアスロット３０１〜３０４は図２のスロット１〜４に対応するものとする）。図３の（ａ）では、メディアスロット３０２及びメディアスロット３０３は、それぞれ「記憶メディアが未装着である」、「記憶メディアが記録不可能な状態である」といった理由により記憶メディアへの記録の実行が不可能な状態にある。本実施形態では、これら、記録の実行が不可能と判定されたメディアスロットに対しては、記録スロットへの設定を禁止する。操作部６８の操作により、一覧２０１にあげられたメディアスロットの選択状態を切り替えていく間に、選択状態になったメディアスロットが記録スロットとしての設定ができない場合にはその旨の表示が通知欄２０２において行われる。図２では、スロット２（図３のメディアスロット３０２に対応）が一覧２０１において選択状態（２０１ａ）にあり、スロット２には記憶メディアが装着されていない旨が、通知欄２０２により表示、通知されている。
【００５４】
また、以上の図３の（ａ）に示したような記録スロットの設定状態にて動作中の撮像装置１００において、図３の（ｂ）に示すようにメディアスロットの状態が変化したとする。即ち、メディアスロット３０４から記憶メディアが抜かれ、メディアスロット３０４は記憶メディアが未装着の状態へと変化したとする（Ｓ３２１）。なお、メディアスロット３０４が記憶メディア未装着状態に変化したことは、記憶メディア着脱検知ユニット９８により検知される。なお、記憶メディアの装着状態の検知方法は周知であるため、説明を省略する。このとき、メディアスロット３０４は記憶メディアが装着されていないので、撮影画像を記録することは不可能であり、記録スロットとしての設定状態を解除する必要がある。よって、メディアスロット３０４を記録スロットから自動的に解除する（Ｓ３２２）。
【００５５】
また、図３の（ｃ）は、図３の（ａ）の状態から、メディアスロット３０４に装着されている記憶メディアが記録不可能な状態に変化した場合を示す（Ｓ３３１）。なお、記憶メディアが記録不可能な状態に変化したことは、記憶メディア状態検知ユニット７４により検知される。記録不可能な状態には、記憶メディアが破壊された、記憶メディアの容量が一杯になった、初期化されていない記憶メディアが装着されていることなどが考えられる。これらの状態の検知方法は周知技術であるためここでは説明を省略する。このような場合、メディアスロット３０４には撮影画像を記録することは不可能であり、メディアスロット３０４における記録スロットの設定状態を解除する必要がある。よって、メディアスロット３０４における記録スロットとしての設定を自動解除する（Ｓ３３２）。
【００５６】
なお、図７のＳ３２２及びＳ３３２における自動解除の実行時には、その旨を画像表示部２８に表示し、メディアスロットの設定状態の変化（記録スロットから解除されたこと）をユーザに通知する。
【００５７】
以上説明した動作について、図４及び図５のフローチャートを参照して更に詳細に説明する。
【００５８】
図４はメディアスロットを記録スロットに設定する際の、撮像装置１００の動作を説明するフローチャートである。図４を用いて、所望のスロットを記録スロットに選択する際の処理と警告表示について説明する。なお、図４のフローチャートで示される処理は、モードダイアル６０によって撮像装置１００を記録スロット設定モードに設定することにより起動される。
【００５９】
記録スロット設定モードの処理が起動されると、まずステップＳ４０１においてユーザインターフェースが画像表示部２８により提示される。ここでは、図２に示したようなメディアスロットの一覧表示２０１が表示されることになる。なお、一覧表示２０１には当該撮像装置が有するすべてのメディアスロットの各々について記録スロットへの設定状態が表示される。また、この一覧表示を行う際に、記憶メディア着脱検知ユニット９８及び記憶メディア状態検知ユニット７４により各状態を検知し、その検知結果を表示するようにしてもよい。このようにすれば、どのメディアスロットを記録スロットに設定できるかが一目瞭然となり、より操作性が向上する。なお、図２に示した操作部６８の操作スイッチの一部は、記録スロット設定モードに移行したことにより、記録スロット選択スイッチ７２として機能するものとする。
【００６０】
記録スロット選択スイッチ７２を用いて、一覧表示２０１内の選択状態のメディアスロットを順次切り替えることができる（ステップＳ４０２）。一覧表示２０１においてメディアスロットが２０１ａに示すような選択状態になると、当該選択状態のメディアスロットについて、記憶メディア着脱状態を記憶メディア着脱検知ユニット９８によりチェックする（ステップＳ４０３）。ステップＳ４０３において、当該メディアスロットに記憶メディアが装着されていないと判定された場合には、ステップＳ４０８へ進み、画像表示部２８等を用いて、警告表示を行う。本実施形態では、図２に示したように、通知欄２０２にその旨の表示を行うものとする。そして、ステップＳ４０７へ進む。この場合、後述のステップＳ４０６はスキップされるので、当該メディアスロットを記録スロットに設定することは禁止されることになる。
【００６１】
一方、記憶メディアが装着されていると判定された場合は、ステップＳ４０３からステップＳ４０４へ進み、記憶メディア状態検知ユニット７４により、当該メディアスロットに装着された記憶メディアの状態（記録の可否）を調べる。当該メディアスロットに装着されている記憶メディアが記録可能な状態ではないと判定された場合は、ステップＳ４０８へ進み、その旨の警告を通知欄２０２に表示する。そして、ステップＳ４０７へ進む。この場合も、後述のステップＳ４０６はスキップされるので、当該メディアスロットを記録スロットに設定することは禁止されることになる。すなわち、記憶メディア着脱検知ユニット９８と記憶メディア状態検知ユニット７４により記憶メディアへの記録が不可であると判定されたメディアスロットに対しては、記録スロットとしての設定が禁止される。
【００６２】
ステップＳ４０４において、当該メディアスロットに装着された記憶メディアが記録可能であると判定された場合は、ステップＳ４０５へ進む。ステップＳ４０５へ進んだ場合、当該メディアスロットは記録スロットとして設定することが可能であるので、記録スロットへ設定する旨の指示が記録スロット選択スイッチ７２よりなされたか否かを判定する。記録スロットへ設定するべく指示されたならば、ステップＳ４０６へ進み、当該メディアスロットを記録スロットに設定し、その状態をメモリ５２に記憶する。記録スロット選択スイッチ７２により次のメディアスロットへ選択状態を移す指示が入力された場合は、ステップＳ４０７からステップＳ４０２へ進み、新たに選択状態となったメディアスロットについて上記処理を繰り返す。また、記録スロット設定モードを解除する指示が入力された場合は、ステップＳ４０７から本処理を終了する。
【００６３】
なお、上記処理において、選択状態のメディアスロットが記録スロットとして設定可能であると判定されている場合は、ステップＳ４０７において次のメディアスロットの選択指示もしくは設定モード終了指示が入力されるまではステップＳ４０５へ処理を戻すものとする。一方、ステップＳ４０８で警告表示を行ってステップＳ４０７へ進んだ場合は、次のメディアスロットの選択指示もしくは設定モード終了指示が入力されるまでステップＳ４０７にて待機するものとする。
【００６４】
以上、本実施形態による記録スロットの設定処理を説明した。次に、メディアスロットの状態の変化に伴う記録スロット設定状態の制御について図５のフローチャートを参照して説明する。
【００６５】
図５は、本実施形態の撮像装置１００によるメディアスロットの状態の監視及び記録モードの自動解除を説明するフローチャートである。例えば、メディアスロットの状態が、図３の（ａ）の状態から（ｂ）または（ｃ）の状態に変化した場合に、記録不可となったメディアスロットの記録スロットとしての設定を自動的に解除する処理が含まれる。なお、図５の処理は、撮像装置１００の動作中に所定周期で繰り返し実行される。或いは、記憶メディア着脱検知ユニット９８及び記憶メディア状態検知ユニット７４のいずれかにおいて状態の変化が検出された場合に実行するようにしてもよい。
【００６６】
まず、ステップＳ５０１において、記録スロット検索ユニット７６は、メモリ５２を参照することにより、記録スロットとして設定されているすべてのメディアスロットを検出する。ステップＳ５０２において、ステップＳ５０１で検出されたメディアスロットの中からまだチェックされていないメディアスロットを一つ選択する。ステップＳ５０３において、記憶メディア着脱検知ユニット９８により記憶メディアの有無をチェックする。記憶メディアが装着されていないと判定された場合は、ステップＳ５０３へ進み、記録スロット自動解除ユニット７８により選択中の記録メディアスロットを記録スロットとしての設定状態から解除する。そして、ステップＳ５０７において、画像表示部２８等を用いて自動解除した旨とその理由の通知を行う。
【００６７】
ステップＳ５０３において記憶メディアが装着されている判定された場合は、ステップＳ５０４へ進む。ステップＳ５０４では、記憶メディア状態検知ユニット７４により、装着されている記憶メディアが記録可能な状態にあるかどうかを判定する。装着されている記憶メディアが記録不可能な状態にあると判定された場合は、ステップＳ５０６，Ｓ５０７にて、上述したように当該メディアスロットの記録スロットとしての設定状態の解除（図３のＳ３２２，Ｓ３３２に相当）とその理由を通知する警告表示を行う。
【００６８】
記録可能な状態の記憶メディアの装着が確認された場合は、選択中のメディアスロットは記録スロットとしての設定状態を維持する。そして、ステップＳ５０５において、未チェックのメディアスロットが残っているかどうかを判定し、残っていれば次のメディアスロットをチェックするためにステップＳ５０２に進む。ステップＳ５０１で取得したメディアスロットのすべてについてチェックを終えたならば、本処理を終了する。
【００６９】
以上の図５に示したような記録スロットの監視を実行しながら、撮影動作が実行された場合は、記録スロットに設定されている全てのメディアスロットにおいて、記憶メディアに画像データが書き込まれることになる。なお、各メディアスロットを異なる形式の記憶メディアに対応させれば、複数種類の記憶メディアに同時に画像データを記録できることになる。
【００７０】
以上説明したように、上記実施形態によれば、メディアスロットにおける記憶メディアの装着の状態、メディアスロットに装着されている記憶メディアの状態に基づいて当該メディアスロットに対してなされている記録スロットとしての設定の維持、解除が制御される。よって、記録スロットが記録不可の状態に変化した場合でも、ユーザがマニュアルで設定をやり直したりする必要が無く、ユーザを煩わしさから解放することができる。また、自動解除が実行された際には、その旨をユーザに通知するべく表示がなされるので、ユーザはメディアスロットが記録スロットから自動解除されたことを容易に把握でき、便利である。
【００７１】
また、メディアスロットに記憶メディアが装着されていない、或いは記憶メディアが記録不可能な状態である場合には、当該メディアスロットを記録スロットとして設定することが禁止され、その旨が表示される。このため、記録スロットに設定できないようなメディアスロットを指定してしまうという誤操作を防ぐことが可能である。また、この表示により、記録スロットに記憶メディアが装着されていないこと、或いは記録スロットに装着されている記憶メディアが記録可能状態にないことを容易に知ることが可能である。
【００７２】
＜第２実施形態＞
第１実施形態では、各メディアスロットに対して個別に記録スロットへの設定を行うことにより複数のメディアスロットを記録スロットとして設定する方法を示した。第２実施形態では、バックアップモードをＯＮに設定するかＯＦＦに設定するかによって、複数のメディアスロットを記録スロットに設定する方法を説明する。なお、第２実施形態では、複数のメディアスロットの１例として２つのメディアスロットを設けた場合に関して説明する。３つ以上のメディアスロットの場合への拡張については、その説明の後で述べる。
【００７３】
図６は、上記図１で示した本発明の実施形態の撮像装置１００の画像表示部２８のバックアップモード設定時における表示例を示した図である。
【００７４】
モードダイアル６０によってバックアップモード設定を選択すると、図１で示した操作部６８を使用して、バックアップモードＯＮまたはＯＦＦを設定することができる。バックアップモードをＯＮに設定した場合には、２つのメディアスロット（第１スロット、第２スロット）の両方を記録スロットとする。バックアップモードをＯＦＦに設定した場合には、第１実施形態に示した方法により、ユーザは記録スロットを第１スロットにするか第２スロットにするか、或いはそれらの両方にするかを設定する。
【００７５】
図７の（ａ）乃至（ｃ）は、本実施形態における各メディアスロットの状態の一例を表す。なお、本実施形態では、メディアスロットを２つとしているが、上述のようにメディアスロットの数は２つ以上であればよく、メディアスロットの数によらず同様の動作をする。
【００７６】
図７の（ａ）乃至（ｃ）において、７０１及び７０２は、メディアスロットを示す。なお、メディアスロット７０１、７０２の上段及び下段は、メディアスロット３０１乃至３０４の上段及び下段と同様の意味を有するものとする。図７の（ａ）に示される状態では、メディアスロット７０１、７０２に記録可能な記憶メディアが装着されており、バックアップモードがＯＮとなっている。従って、メディアスロット７０１，７０２共に記録スロットに設定されている。この状態で撮影が行われると、撮影画像はメディアスロット７０１とメディアスロット７０２の両方に装着された記憶メディアに書き込まれることになる。なお、一般にバックアップモードではメディアスロット毎に撮影画像を書き込むためのメインスロットとバックアップデータを書き込むためのバックアップスロットを設定可能であり、ここでは、メディアスロット７０１をメインスロット、メディアスロット７０２をバックアップスロットに設定しているものとする。
【００７７】
図７の（ｂ）は、図７の（ａ）におけるメディアスロット７０２から記憶メディアが抜かれ、メディアスロット７０２の状態が記憶メディア未装着の状態へ変化した（Ｓ７２１）ことを表す。この結果、メディアスロット７０２は記憶メディアが装着されていないので撮影画像を記録することは不可能になる。この結果、バックアップスロットが存在しなくなる。即ち、バックアップ動作を継続することは不可能となるので、バックアップモードをＯＮに設定していた場合は、記録スロット自動解除ユニット７８により、バックアップモードをＯＦＦに自動解除する（Ｓ７２２）。従って、上記の処理後、即ち（ｂ）の状態で撮影を行った場合には、撮影画像はメディアスロット７０１の記憶メディアのみに記録されることになる。
【００７８】
図７の（ｃ）は、図７の（ａ）におけるメディアスロット７０２が記録不可能な状態に変化した（Ｓ７３１）ことを表す。記録不可能な状態としては、記憶メディアが破壊された、記憶メディアの容量が一杯になった、初期化されていない記憶メディアが装着されたことなどが考えられる。このとき、メディアスロット７０２により撮影画像を記録することは不可能である。よって、バックアップ動作を続行することは不可能となり、バックアップモードをＯＮに設定していた場合は、記録スロット自動解除ユニット７８により、バックアップモードをＯＦＦに自動解除する（Ｓ７３２）。上記処理後、即ち（ｃ）の状態で撮影を行った場合には、撮影画像はメディアスロット７０１の記憶メディアのみに記録されることになる。
【００７９】
図８は上述のバックアップモードの自動解除処理を説明するフローチャートである。図８に示す処理は撮像装置１００の動作中に所定周期で繰り返し実行される。或いは、記憶メディア着脱検知ユニット９８及び記憶メディア状態検知ユニット７４のいずれかにおいてメディアスロットの状態の変化が検出された場合に実行するようにしてもよい。
【００８０】
まず、ステップＳ８０１において現在バックアップモードに設定されているかどうかを判定する。バックアップモードに設定されていなければ図８に示す処理を終了する。バックアップモードであれば、ステップＳ８０２へ進み、記録スロットとして設定されている全メディアスロットについて記録スロットとしての設定を維持可能かどうか調べ、維持可能でない記録スロットはその設定を自動解除する。これは、図５のステップＳ５０１〜Ｓ５０５の処理により達成できる。この処理において、ステップＳ５０７の表示処理により、ユーザは記録スロットではなくなったメディアスロットを容易に確認できる。
【００８１】
そして、ステップＳ８０３において、記録スロットとして残っているメディアスロットによってバックアップ動作が実行可能かどうかを判定する。図７の例ではメディアスロットが２つのなので、いずれか一方のメディアスロットが記録スロットでなくなった場合にはバックアップ動作を継続することができなくなる。つまり、記録スロットが１つ以下となった場合、バックアップ動作を継続することができなくなる。このような場合は、ステップＳ８０５へ進み、バックアップモードを解除する（図７のＳ７２２，Ｓ７３２）。そして、ステップＳ８０６でその旨の警告表示を行い、本処理を終了する。
【００８２】
一方、記録スロットとして残っているメディアスロットの組み合わせによりバックアップ動作が可能であればステップＳ８０４へ進み、バックアップ動作を継続することになる。
【００８３】
次に、図９のフローチャートを参照して、バックアップモード設定操作時における撮像装置１００の動作を説明する。モードダイアル６０の操作によりバックアップモード設定モードを指定すると図９の処理が開始される。
【００８４】
まず、ステップＳ９０１において、バックアップモード設定操作であることを示す画面を表示する。例えば、図６の画像表示装置２８内の６００に示す如き表示を行う。そして、ステップＳ９０２へ進み、すべてのメディアスロットの状態を調べる。ステップＳ９０３では記録可能なメディアスロットによりバックアップ動作を行えるかどうかを判定する。ここで記録可能なメディアスロットとは、記録可能な記憶メディアが装着されたメディアスロットのことであり、記憶メディア着脱検知ユニット９８と記憶メディア状態検知ユニット７４による各メディアスロットの検知結果により判定することができる。
【００８５】
記録可能なメディアスロットが２つ以上存在しない場合はバックアップモードで動作することができない。或いは、メインスロットに指定されたメディアスロットに記録スロットに設定できるものがない場合や、バックアップスロットに指定されたメディアスロットに記録スロットに設定できるものがない場合には、やはりバックアップモードで動作することができないと判定される。ステップＳ９０３においてバックアップモードでの動作ができないと判定されると、ステップＳ９０７へ進み、例えば図６の６０２に示したように、その旨の警告を表示する。複数の記録可能なメディアスロットが検出された場合には、ステップＳ９０４へ進みバックアップモードへの移行が指示されたかを判定する。指示されたならばステップＳ９０６へ進み、本装置をバックアップモードに設定する。バックアップモードへの移行指示がない場合は、設定操作の終了指示があるまでは、上記ステップＳ９０２からＳ９０４の処理を繰り返す。これにより、バックアップモード設定モードにおいて、新たに記憶メディアが装着されて記録可能なメディアスロットが増加した場合でも、即座にその状態を反映した設定操作、処理が可能となる。
【００８６】
以上説明したように、第２実施形態によれば、バックアップモードを設定するだけで複数の記憶メディアに画像データを記録させることができ、操作性が向上する。また、複数の記憶メディアに画像を記録できない状態になった場合は、その旨の警告を表示するとともに、バックアップモードを解除するので、ユーザはカメラの動作状態を正しく把握できる。
【００８７】
なお、上記第２実施形態において、３つ以上のメディアスロットへ拡張する場合には、各メディアスロットをメインスロットとバックアップスロットのいずれかに予め設定しておく。この設定はユーザが行えるようにしてもよいし、装置に固定されたものとしてもよい。そして、ステップＳ８０３やステップＳ９０３において、メインスロットに設定されたメディアスロットの全てが記憶メディアへの記録が不可の状態になった場合、或いはバックアップスロットに設定されたメディアスロットの全てが記憶メディアへの記録が不可の状態になった場合に、バックアップモード動作の実行が不可能であると判定すればよい。
【００８８】
なお、上記各実施形態に係る撮像装置において、プログラム及び関連データを、フロッピー（登録商標）ディスクやＣＤ−ＲＯＭ等の記憶媒体を装置に装備された記憶媒体ドライブ挿入口に挿入することで供給し、プログラム及び関連データを記憶媒体から一旦ハードディスクにインストールしハードディスクからＲＡＭにロードするか、或いはハードディスクにインストールせずに直接ＲＡＭにロードすることで、プログラム及び関連データを実行することでプログラム実行が可能となる。或いは、撮像装置に予めプログラム及び関連データを格納しておくことで、プログラム実行が可能となる。
【００８９】
＜第３実施形態＞
第１及び第２実施形態では、メディアスロットの状態により設定を維持できなくなった場合はその設定を自動的に解除する撮像装置を説明した。例えば、第１実施形態では、記録スロットに設定されていたメディアスロットが記録できない状態になると、記録スロットとしての設定を自動的に解除する撮像装置を説明した（Ｓ５０３，Ｓ５０４，Ｓ５０６，Ｓ５０７）。また、第２実施形態では、メインスロット或いはバックアップスロットの少なくともいずれかにおいて記録スロットが存在しなくなるとバックアップモードを自動的に解除する撮像装置を説明した（Ｓ８０３，Ｓ８０５，Ｓ８０６）。
【００９０】
第３実施形態では、そのような解除を行う前に、ユーザがメディアスロットを選択スロットに復活させるための猶予を与えることができる撮像装置を説明する。第３実施形態でも、第１及び第２実施形態と同様に図１に示す撮像装置１００を採用する。
【００９１】
図１０は、第３実施形態に係る撮像装置において実行される処理を説明するフローチャートである。図１０に示す処理は、第１実施形態のステップＳ５０６及びＳ５０７と置き換えることも、第２実施形態のステップＳ８０５及びＳ８０６と置き換えることができる。
【００９２】
まず、図１０を参照し、第１実施形態の一部を変更した場合を説明する。
【００９３】
図５のステップＳ５０３或いはＳ５０４においてＮＯと判定された場合（選択中のメディアスロットが記録不可な状態である場合）、撮像装置１００は図１０のステップＳ１００１の処理を開始する。ステップＳ１００１では、記憶メディアの装着或いは交換を促すメッセージ等を画像表示部２８に表示する。このとき、選択中のメディアスロットをアイコン等を用いてユーザに明示する。
【００９４】
所定時間内に選択中のメディアスロットが記録可能な状態に復帰した場合は、ステップＳ１００２からステップＳ１００６へ進み、記録スロットの設定が解除されなかったことを示すメッセージ等を画像表示部２８に表示し、図５のステップＳ５０５へ進む。一方、所定時間内に選択中のメディアスロットが記録可能な状態に復帰しなかった場合はステップＳ１００４へ進み、記録スロットの設定を解除し、ステップＳ１００５でその旨を警告するメッセージ等を画像表示部２８に表示する。そしてステップＳ５０５へ進む。
【００９５】
次に、図１０を参照し、第２実施形態の一部を変更した場合を説明する。この場合、ステップＳ１００２では、選択中のメディアスロットが記録可能な状態に復帰したか否かではなく、バックアップ動作が可能な状態に復帰したか否かが判定される。
【００９６】
図８のステップＳ８０３においてバックアップ動作の継続が不可と判定された場合、撮像装置１００は図１０のステップＳ１００１の処理を開始する。ステップＳ１００１では、バックアップモードを維持できるようにするため、記憶メディアの装着或いは交換を促すメッセージ等を画像表示部２８に表示する。このとき、記録スロットでないメディアスロットをアイコン等を用いてユーザに明示する。
【００９７】
所定時間内にバックアップ動作が可能な状態に復帰した場合は、ステップＳ１００２からステップＳ１００６へ進み、バックアップモードが解除されなかったことを示すメッセージ等を画像表示部２８に表示する。一方、所定時間内にバックアップ動作が可能な状態に復帰しなかった場合はステップＳ１００４へ進み、バックアップモードを解除し、ステップＳ１００５でその旨を警告するメッセージ等を画像表示部２８に表示する。
【００９８】
以上のように第３実施形態によれば、所定時間内に記憶メディアの装着或いは交換をすれば記録スロットの設定やバックアップモードの設定をやり直す必要がなくなるので操作性が向上する。
【００９９】
なお、所定時間の経過を待つ代わりに、ユーザが記録スロット又はバックアップモードの設定の解除に同意したか否かを判定するようにしてもよい。この場合、ステップＳ１００３において、記録スロット又はバックアップモードの設定の解除に同意するか否かを問い合わせるメッセージ等を画像表示部２８に表示する。そして、ユーザが記録スロット又はバックアップモードの設定の解除に同意する旨の操作を入力したときにステップＳ１００３からステップＳ１００４へ進むようにすればよい。
【図面の簡単な説明】
【０１００】
【図１】第１乃至第３実施形態に係る撮像装置の構成を示すブロック図である。
【図２】第１実施形態における記録スロット設定時のインターフェースについて説明する図である。
【図３】第１実施形態における記録スロットとしての設定状態の自動解除を説明する図である。
【図４】第１実施形態における、スロットを記録スロットとして設定する際の処理を説明するフローチャートである。
【図５】第１実施形態による、記録スロットの設定の自動解除処理を説明するフローチャートである。
【図６】第２実施形態におけるバックアップ設定操作時のインターフェースを説明する図である。
【図７】第２実施形態におけるバックアップモードの自動解除について説明する図である。
【図８】第２実施形態におけるバックアップモードの自動解除処理を説明するフローチャートである。
【図９】第２実施形態におけるバックアップモード設定処理を説明するフローチャートである。
【図１０】第３実施形態に係る撮像装置において実行される処理を説明するフローチャートである。
【図１】
2005253057.tif 000003
【図２】
2005253057.tif 000004
【図３】
2005253057.tif 000005
【図４】
2005253057.tif 000006
【図５】
2005253057.tif 000007
【図６】
2005253057.tif 000008
【図７】
2005253057.tif 000009
【図８】
2005253057.tif 000010
【図９】
2005253057.tif 000011
【図１０】
2005253057.tif 000012